(57)【要約】      （修正有）【課題】胸部固定帯を不要とし、患肢が体の前後又は左右で揺動することを防止すると共に、頚部への荷重を軽減する固定ベルト付き三角巾を提供する。【解決手段】二等辺三角形状の三角巾Ｆと、該三角巾Ｆを体幹に固定するための固定ベルトを三角巾Ｆの二ケ所に縫着Ｓしてなる。【選択図】図１
0003181311.tif 000002
【実用新案登録請求の範囲】
【請求項１】
二等辺三角形状の三角巾（Ｆ）と、該三角巾（Ｆ）を体幹（ＢＭ）に固定するための固定ベルト（Ｂ）を前記三角巾（Ｆ）の二ケ所に縫着（Ｓ）してなることを特徴とする固定ベルト付き三角巾。
【請求項２】
前記固定ベルト（Ｂ）の一方（Ｂ１）は、前記三角巾（Ｂ）における底辺（Ｆ１）のほぼ中間側縁部に縫着（Ｓ）され、前記固定ベルト（Ｂ）の他方（Ｂ２）は、前記底辺（Ｆ１）の等辺（Ｆ２）の一側縁に縫着（Ｓ）されており、前記固定ベルト（Ｂ）の他方（Ｂ２）は、前記底辺（Ｆ１）の等辺（Ｆ２）の一側縁に縫着（Ｓ）されており、かつ、両固定ベルト（Ｂ１）、（Ｂ２）は、三角巾（Ｆ）の中心線（Ｃ）より、片側に偏位して、両固定ベルト（Ｂ１）、（Ｂ２）の逢着部を結ぶ線が、中心線Ｃと平行になるように、縫着（Ｓ）され、前記固定ベルト（Ｂ）の一方（Ｂ１）側には、バックル（ＢＣ）の雌レセプタクル（ＢＣ１）が取り付けられると共に、前記固定ベルト（Ｂ）の他方（Ｂ２）側には、バックル（ＢＣ）の雄ラッチ（ＢＣ２）が取り付けられていることを特徴とする請求項１に記載された固定ベルト付き三角巾。
【請求項３】
前記固定ベルト（Ｂ）は、長手方向への伸縮性を有することを特徴とする請求項１〜２の何れかに記載された固定ベルト付き三角巾。
【請求項４】
前記固定ベルト（Ｂ）には、ベルトの長さ調整具（ＬＣ）が取り付けられていることを特徴とする請求項１〜３の何れかに記載された固定ベルト付き三角巾。
【考案の詳細な説明】
【技術分野】
【０００１】
本考案は、固定ベルト付き三角巾に関する。
【背景技術】
【０００２】
従来、肩関節脱臼等では、患肢の自重で肩関節が緩まないように、三角巾で患肢を包み、首からぶら下げるようにしていた。
しかし、かかる従来技術には、前後左右の制動が効かないため、肩腱板断裂や上腕頸部骨折等では、体幹から離れないようにするため、三角巾で包んだ上に、さらに、胸部固定帯２本（１本では短いため）を代用して固定する方法が一般的に用いられていた。
ここに、胸部固定帯は、保険適用外であり、胸部固定帯２本分の費用が掛かり、患者の経済的負担となっていた。
従来技術として、出願人が知る特許文献（三角巾にバックル等の留め具を取り付けた患部（患肢）の固定具）として、下記の通り開示する。
【０００３】
しかし、特開２０００−２４５７６１号公報に記載の技術は、構造が複雑であり、かつ帯材が長いという欠点があり、長時間使用すると首に負担がかかり首が付かれる欠点を解消するものでああるが、本考案とは、課題も構成も相違する別異の技術である。
【先行技術文献】
【特許文献】
【０００４】
【特許文献１】特開２０００−２４５７６１号公報
【考案の概要】
【考案が解決しようとする課題】
【０００５】
○本考案が解決しようとする第１課題
本考案が解決しようとする第１課題は、胸部固定帯を不要とし、患肢が体の前後又は左右で揺動することを防止すると共に、頚部への荷重を軽減する固定ベルト付き三角巾を提供すること固定ベルト付き三角巾を提供することである。
○本考案が解決しようとする第２課題
本考案が解決しようとする第１課題は、患者自らで着脱が容易な固定ベルト付き三角巾を提供すること固定ベルト付き三角巾を提供することである。
○本考案が解決しようとする第３課題
本考案が解決しようとする第１課題は、患者の体幹に適合する固定ベルト付き三角巾を提供すること固定ベルト付き三角巾を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○固定ベルト付き三角巾は、二等辺三角形状の三角巾（Ｆ）と、該三角巾（Ｆ）を体幹（ＢＭ）に固定するための固定ベルト（Ｂから構成されている。
○三角巾とは、三角巾をいう。
○固定ベルトとは、三角巾に挿通された前腕等が前後又は左右への揺動を防止するための帯状部材をいう。
○一方とは、前記固定ベルト（Ｂ）の一方端部（Ｂ１）をいう。
○他方とは、前記固定ベルト（Ｂ）の一方端部（Ｂ１）をいう。
○底辺とは、三角巾の二等辺三角形で、等辺でない辺をいう。
○等辺とは、三角巾の三角形において、長さの等しい  辺（底辺以外の辺）をいう。
○バックルとは、三角巾の一方側と他方側の固定ベルトとを連結又は離間させるための部材で、雄ラッチと雌レセプタクルを構成要素としている。
○雌レセプタクルとは、雄ラッチと組み合わせて用いる連結又は離間させるための部材いう。
○雄ラッチとは、雌レセプタクルと組み合わせて用いる連結又は離間させるための部材いう。
○体幹とは、腹部、背部及び腰部等を含む体の中心部全般をいう。
○縫着とは、固定ベルトを三角巾の二ケ所に縫って取付けることをいう。
○長さ調整具とは、三角巾を装着する患者の体幹の大きさに適合するように固定ベルトの全体長さを調整する部材をいう。
＜記号の説明＞
１、２、３…三角巾の三角形において、頂点をいう。
１…三角巾の三角形において、底辺の対頂点をいう
Ｆ１…三角巾の三角形において、底辺１２をいう
Ｆ２…三角巾の三角形において、等辺１３、等辺２３をいう
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、二等辺三角形状の三角巾（Ｆ）と、該三角巾（Ｆ）を体幹（ＢＭ）に固定するための固定ベルト（Ｂ）を前記三角巾（Ｆ）の二ケ所に縫着（Ｓ）してなることを特徴とする固定ベルト付き三角巾である。
○第２の考案（請求項２に記載の考案）  
上記の課題を解決するための第２の考案（請求項２に記載の考案）は、前記固定ベルト（Ｂ）の一方（Ｂ１）は、前記三角巾（Ｆ）における底辺（Ｆ１）のほぼ中間側縁部に縫着（Ｓ）され、前記固定ベルト（Ｂ）の他方（Ｂ２）は、前記底辺（Ｆ１）の等辺（Ｆ２）の一側縁に縫着（Ｓ）されており、かつ、両固定ベルト（Ｂ１）、（Ｂ２）は、三角巾（Ｆ）の中心線（Ｃ）より、片側に偏位して、両固定ベルト（Ｂ１）、（Ｂ２）の逢着部を結ぶ線が、中心線Ｃと平行になるように、縫着され（Ｓ）、前記固定ベルト（Ｂ）の一方（Ｂ１）側には、バックル（ＢＣ）の雌レセプタクル（ＢＣ１）が取り付けられると共に、前記固定ベルト（Ｂ）の他方（Ｂ２）側には、バックル（ＢＣ）の雄ラッチ（ＢＣ２）が取り付けられていることを特徴とする請求項１に記載された固定ベルト付き三角巾である。
○第３の考案（請求項３に記載の考案）  
上記の課題を解決するための第３の考案（請求項３に記載の考案）は、前記固定ベルト（Ｂ）は、長手方向への伸縮性を有することを特徴とする請求項１〜２の何れかに記載された固定ベルト付き三角巾である。
○第４の考案（請求項４に記載の考案）  
上記の課題を解決するための第４の考案（請求項４に記載の考案）は、前記固定ベルト（Ｂ）には、ベルトの長さ調整具（ＬＣ）が取り付けられていることを特徴とする請求項１〜３の何れかに記載された固定ベルト付き三角巾である。
【考案の効果】
【０００７】
本考案に係る、は、上記のような特徴的構成要件から構成され、特徴的構成要件に応じた、以下のような本願考案特有の効果を奏する。
また、上記の各考案に応じた、上記のような特徴的構成要件から構成された固定ベルト付き三角巾によれば、本願考案の課題を十分解消することができた。
○第１の考案の効果
第１の考案によれば、第１の考案の特徴的な構成要件により、本考案が解決しようとする第１課題を達成することができ、当業者予測不可能な顕著な効果を奏することができた。
○第２の考案の効果
第２の考案によれば、第２の考案の特徴的な構成要件により、本考案が解決しようとする第１課題の他に、本考案が解決しようとする第２課題を達成することができ、当業者予測不可能な顕著な効果を奏することができた。
○第３の考案の効果
第３の考案によれば、第３の考案の特徴的な構成要件により、本考案が解決しようとする第１〜第２課題の他に、本考案が解決しようとする第３課題を達成することができ、当業者予測不可能な顕著な効果を奏することができた。
○第４の考案の効果
第４の考案によれば、第４の考案の特徴的な構成要件により、本考案が解決しようとする第１〜第３課題を達成することができ、当業者予測不可能な顕著な効果を奏することができた。
【考案を実施するための最良の形態】
【０００８】
以下、本考案に係る、固定ベルト付き三角巾に関する最良の実施形態について、図面を参照しながら説明する。
図１は、本考案に係る固定ベルト付き三角巾の一実施形態を示す斜視図である。
図２は、本考案に係る固定ベルト付き三角巾の使用状態を示す正面図である。
図３は、従来の三角巾の使用状態を示す正面図である。
以下、図面を参照しながら、本考案を実施するための最良の形態を説明する。
１１１１１＊＊＊＊＊＊＊＊＊＊＊＊＊＊＊＊＊＊＊＊＊＊＊＊＊＊＊＊＊＊
第１の考案は、二等辺三角形状の三角巾Ｆと、該三角巾Ｆを体幹ＢＭに固定するための固定ベルトＢを前記三角巾Ｆの二ケ所に縫着Ｓしてなることを特徴とする固定ベルト付き三角巾１００であり、図１〜図２に開示されている。
２２２２２＊＊＊＊＊＊＊＊＊＊＊＊＊＊＊＊＊＊＊＊＊＊＊＊＊＊＊＊＊＊
第２の考案は、前記固定ベルトＢの一方Ｂ１は、前記三角巾Ｂにおける底辺Ｆ１のほぼ中間側縁部に縫着Ｓされ、前記固定ベルトＢの他方Ｂ２は、前記底辺Ｆ１の等辺Ｆ２の一側縁に縫着Ｓされており、かつ、両固定ベルト（Ｂ１）、（Ｂ２）は、三角巾（Ｆ）の中心線（Ｃ）より、片側に偏位して、両固定ベルト（Ｂ１）、（Ｂ２）の逢着部を結ぶ線が、中心線Ｃと平行になるように、縫着され（Ｓ）、前記固定ベルトＢの一方Ｂ１側には、バックルＢＣの雌レセプタクルＢＣ１が取り付けられると共に、前記固定ベルトＢの他方Ｂ２側には、バックルＢＣの雄ラッチＢＣ２が取り付けられていることを特徴とする固定ベルト付き三角巾１００（第１の考案）であり、図１〜図２に開示されている。
３３３３３＊＊＊＊＊＊＊＊＊＊＊＊＊＊＊＊＊＊＊＊＊＊＊＊＊＊＊＊＊＊
本考案に係る第３の考案は、上記の固定ベルト付き三角巾において、前記固定ベルトＢは、長手方向への伸縮性を有することを特徴とする固定ベルト付き三角巾１００（第１の考案、第２の考案）であり、図１〜図２に開示されている。
４４４４４＊＊＊＊＊＊＊＊＊＊＊＊＊＊＊＊＊＊＊＊＊＊＊＊＊＊＊＊＊＊
本考案に係る第４の考案は、前記固定ベルトＢには、ベルトの長さ調整具ＬＣが取り付けられていることを特徴とする固定ベルト付き三角巾１００（第１の考案、第２の考案、第３の考案）であり、図１〜図２に開示されている。
以下、本考案に係る固定ベルト付き三角巾の使用態様を、図１〜図２を参照して説明する。
＊＊＊＊＊＊＊＊＊＊＊＊＊＊＊＊＊＊＊＊＊＊＊＊＊＊＊＊＊＊＊＊＊＊＊
先ず、図１に示す三角巾Ｆの第１頂点１と第２頂点２とを患者Ｍの体幹ＢＭ（背部ないし腰部）に適合する位置で結縛する。
次に、底辺Ｆ１と両等辺Ｆ２で形成される空間部Ｆ３に固定したい前腕部Ａ（患肢側）を挿通させて、前腕部Ａが、空間部Ｆ３の三角巾Ｆの中心線Ｃに沿って、前腕部Ａを空間部Ｆ３に載置させる。続いて固定ベルトＢにおける等辺Ｆ２の一辺に縫着Ｓされている他方側ベルトＢ２に取り付けた雄ラッチＢＣ２を健常な手指で把持し、体幹ＢＭ側に巻きつけるようにしながら、図２に示すように底辺Ｆ１の一方側ベルトＢ１に取り付けた雌レセプタクルＢＣ１に雄ラッチＢＣ２の差込片ＢＣ２ａを差し込めば、本考案に係る固定ベルト付き三角巾１００の前腕部Ａ（患肢側）への装着（固定）作業は完了する（図２参照）。
これにより、患肢が体の前後又は左右で揺動することを防止することができることはもちろん、  固定ベルトＢで三角巾Ｆは体幹ＢＭに固定されるので、患者Ｍの頚部に対する前腕部Ａ（患肢側）の荷重が軽減されるので、頭痛、肩こりなどの発症も防止する効果を奏する。
また三角巾Ｆを体幹ＢＭから取り外すには、雌レセプタクルＢＣ１に取り付けられた解放ボタンＢＣ１ｂを指先で押せば、差込片ＢＣ２ａは、雌レセプタクルＢＣ１から離間し、体幹ＢＭからの三角巾Ｆの取り外し作業は終了する。
患者Ｍ自ら三角巾Ｆを体幹ＢＭに装着するには、予め看護師、健常者などにより三角巾Ｆの第１頂点１と第２頂点２とを患者Ｍの体幹ＢＭ（背部ないし腰部）に適合する位置で結縛しておき、患者Ｍは第１頂点１と第２頂点２の結縛部ＦＪを頚部に掛支した後、固定したい前腕部Ａ（患肢側）を三角巾Ｆ内で形成された空間部Ｆ３に挿通させて、前腕部Ａが、空間部Ｆ３の三角巾Ｆの中心線Ｃに沿って、前腕部Ａを空間部Ｆ３に載置させる。
次に、雄ラッチＢＣ２を健常な手指で把持し、体幹ＢＭ側に巻きつけ、雄ラッチＢＣ２の差込片ＢＣ２ａを雌レセプタクルＢＣ１内に差込片ＢＣ２ａを差し込めば、三角巾Ｆの体幹ＢＭへの装着は簡単に終了することができる。
本考案に係る固定ベルト付き三角巾１００において、固定ベルトＢの他方側ベルト（Ｂ２）または一方側ベルト（Ｂ１）には、ベルトの長さ調整具（ＬＣ）が取り付けられており（図１においては雄ラッチＢＣ２側）、患者Ｍの体幹ＢＭの大きさに適合する長さに調整して使用するものである。
なお、図中の３は、三角巾Ｆにおける第３頂点である。      
【図面の簡単な説明】
【０００９】
【図１】図１は、本考案に係る固定ベルト付き三角巾の一実施形態を示す斜視
【図２】図２は、同使用状態を示す正面図である。
【図３】図３は、従来の三角巾の使用状態を示す正面図である。
【符号の説明】
【００１０】
１００…固定ベルト付き三角巾
Ｆ…三角巾
Ｂ…固定ベルト
Ｂ１…一方
Ｂ２…他方
Ｆ１…底辺
Ｆ２…等辺
ＢＣ…バックル
ＢＣ１…雌レセプタクル
ＢＣ２…雄ラッチ
ＢＭ…体幹
Ｓ…縫着
ＬＣ…長さ調整具
２００、２１０…従来の三角巾
１、２，３…三角巾の二等辺三角形の頂点
Ｃ…中心線
Ａ…前腕部（患肢側）
【図１】
0003181311.tif 000003
【図２】
0003181311.tif 000004
【図３】
0003181311.tif 000005